(57)【要約】      （修正有）【課題】オストメイト用汚物流しを小型化しながら、少ない洗浄水量でも効率良く、ボウル部の前方側に廃棄された汚物を洗い落とすことができ、且つ、溜水部に溜まった汚物を外部へ排出することができるオストメイト用汚物流しを提供する。【解決手段】オストメイト用汚物流しであって、周壁面３１０が略楕円形状に形成されたボウル部３と、ボウル部３の底面３２０から窪むように封水が溜まる溜水部５と、溜水部５に封水を形成するトラップ管路と、ボウル部３の周壁面３１０に開口し、この周壁面３１０に沿って水平方向に旋回するように洗浄水を吐水する吐水口１１とを備え、吐水口１１は、ボウル部３の後方側周壁面３１０Ｂであって、左右何れか一方側の周壁面３１０Ｒに近接して形成されており、吐水口１１から周壁面３１０に吐水された洗浄水は、後方側周壁面３１０Ｂを左右何れかの一方側から他方側へと流れることを特徴とするオストメイト用汚物流し。【選択図】図４
2018050750.tif 000002
【特許請求の範囲】
【請求項１】
建物の壁面に沿って配置されるオストメイト用汚物流しであって、
汚物が投入可能となるように上方が開口され、周壁面が略楕円形状に形成されたボウル部と、
前記ボウル部の底面から窪むように形成され、封水が溜まる溜水部と、
前記溜水部の下部から前記壁面に向かって上昇するように形成され、前記溜水部に前記封水を形成するトラップ管路と、
前記ボウル部の前記周壁面に開口し、この周壁面に沿って水平方向に旋回するように洗浄水を吐水する吐水口と、
を備え、
前記吐水口は、前記ボウル部の後方側の前記周壁面であって、左右何れか一方側の前記周壁面に近接して形成されており、
前記吐水口から前記周壁面に吐水された洗浄水は、後方側の前記周壁面を左右何れかの一方側から他方側へと流れることを特徴とするオストメイト用汚物流し。
【請求項２】
前記ボウル部の前記周壁面には、前記吐水口から吐水された洗浄水を載せて旋回させるために、前記周壁面から水平に突出した棚部が周回して形成されていることを特徴とする請求項１記載のオストメイト用汚物流し。
【請求項３】
前記棚部において、前記ボウル部の前方側の中央位置には、前記棚部を旋回する洗浄水の一部を前記溜水部へ向かうように誘導する流れ誘導部が形成されていることを特徴とする請求項２記載のオストメイト用汚物流し。
【請求項４】
前記吐水口は、その吐水方向が前記周壁面の曲面の接線に沿って形成されており、この吐水口が形成されている後方側の前記周壁面の曲率は、左右両側の前記周壁面および前方側の前記周壁面の曲率よりも小さいことを特徴とする請求項３記載のオストメイト用汚物流し。
【発明の詳細な説明】
【技術分野】
【０００１】
本発明は、人工肛門や人工膀胱などの保持者である「オストメイト」と呼ばれる人々が使用するオストメイト用汚物流しに関する。
【背景技術】
【０００２】
人工肛門や人工膀胱などの保持者であるオストメイトと呼ばれる人々は、身体の腹部に排泄物（以下、汚物という）を溜めておくための袋、いわゆるパウチを装着しており、時折、トイレにおいて溜まった汚物を廃棄したり、パウチの内面、ストーマ（腹部に造設された排泄口）、ストーマ付近の腹部などに着いた汚物を洗い流したりするなどの作業を行う必要がある。
【０００３】
そして、オストメイトと呼ばれる人々が外出先で作業を行うための専用設備として、例えば特許文献１に記載されたオストメイト用汚物流しが提案されている。
この特許文献１に記載されたオストメイト用汚物流しにおいては、ボウル部の周壁面を旋回するように吐水して、ボウル部内に廃棄された汚物を排出するように構成されており、ボウル部の形状がシンプルであるため、排出後にボウル部に汚物が残っていたとしても目視で簡単に把握でき、また、その除去も容易に行うことができ、衛生面で優れたものとなっている。
【０００４】
また、近年、バリアフリー法の施行に伴い、公共施設においては多目的用トイレルームの設置が促進されているが、その障壁となるのがスペースの確保である。即ち、多目的トイレルームは車椅子利用者が利用するために健常者が利用する一般的なトイレルームよりも広い面積が必要となる。
そのため、多目的トイレルームに設置されるオストメイト用汚物流しには、狭い面積でも設置できる小型化の要望が高まってきている。
【先行技術文献】
【特許文献】
【０００５】
【特許文献１】特許第０４９４１３３６号
【発明の概要】
【発明が解決しようとする課題】
【０００６】
オストメイト用汚物流しの小型化としては、壁面に沿った幅方向よりも、壁面から突出する前後方向の小型化が有効である。これは、多目的トイレルームにおいては車椅子利用者の転回スペースを確保する必要があるためである。そこで、特許文献１に記載されているオストメイト用汚物流しにおいてボウル部の壁面からの突出量を小さくすることが考えられる。
しかしながら、特許文献１のように壁面から前方に向けて洗浄水を吐水した場合、ボウル部の前方側に洗浄水が到達したとき、前方側に旋回してきた洗浄水には運動エネルギーが十分にあり、遠心力が大きいため、ボウル部の前方側から落下する洗浄水が少なくなる。そのため、ボウル部の前方側に着いた汚物が残ってしまうという問題があった。
特に、オストメイトの人々は、汚物を廃棄する際に、パウチをボウル部の前方側から垂らし、汚物を廃棄するため、ボウル部の前方側に多くの汚物がつく。そのため、汚物残りが顕著になる。
また、ボウル部の前方側から溜水部に流下する洗浄水の量が少ないため、溜水部に溜まった汚物をトラップ管路に向けて押し込む作用が弱く、外部へ汚物を排出する排出性能も低下するという問題もあった。
【０００７】
さらに、オストメイト用汚物流しは、公共施設に設置されるため、洗浄水の供給源として一般家庭よりも口径が大きな給水配管から、フラッシュバルブを介して瞬間流量が約１００リットル／分といった大流量で供給されるように設置される現場も多く、節水化のために使用する１回当たりに流す洗浄水量を削減した場合、吐水時間が短くなり、ボウル部の前方側から流下する洗浄水の量も少なくなるので、ボウル部前方側に廃棄された汚物残りが顕著になる。
【０００８】
本発明は、上記問題を解決するためになされたものであり、本発明の課題は、オストメイト用汚物流しを小型化しながら、少ない洗浄水量でも効率良く、ボウル部の前方側に廃棄された汚物を洗い落とすことができ、且つ、溜水部に溜まった汚物を外部へ排出することができるオストメイト用汚物流しを提供することを目的としている。
【課題を解決するための手段】
【０００９】
上記目的を達成するために、請求項１に係るオストメイト用汚物流しにおいては、建物の壁面に沿って配置されるオストメイト用汚物流しであって、汚物が投入可能となるように上方が開口され、周壁面が略楕円形状に形成されたボウル部と、前記ボウル部の底面から窪むように形成され、封水が溜まる溜水部と、前記溜水部の下部から前記壁面に向かって上昇するように形成され、前記溜水部に前記封水を形成するトラップ管路と、前記ボウル部の前記周壁面に開口し、この周壁面に沿って水平方向に旋回するように洗浄水を吐水する吐水口と、を備え、前記吐水口は、前記ボウル部の後方側の前記周壁面であって、左右何れか一方側の前記周壁面に近接して形成されており、前記吐水口から前記周壁面に吐水された洗浄水は、後方側の周壁面を左右何れかの一方側から他方側へと流れることを特徴とする。
【００１０】
本請求項１に係るオストメイト用汚物流しによれば、ボウル部の周壁面が横長の略楕円形状に形成されているため、汚物を投入するための開口面積を確保しながら壁面からの突出量を抑えることができる。
また、吐水口が、ボウル部の後方側の周壁面であって左右何れか一方側の周壁面に近接して形成されており、吐水口から周壁面に吐水された洗浄水は、後方側の周壁面を左右何れかの一方側から他方側へと流れるため、この後方側の周壁面を流れる間に吐水口から吐水された直後に持つ洗浄水の流速が低下し、その後、ボウル部側方の周壁面を旋回して前方側に至った時点では更に流速が低下しており、洗浄水にかかる遠心力が弱くなっているので、前方側から溜水部へ流れる落ちる洗浄水の量を増やすことができる。
そのため、ボウル部の前方側に廃棄された汚物を少ない洗浄水量でも効率良く洗い落とすことができる。
また、ボウル部の前方側から溜水部へ流下した洗浄水が溜水部に溜まった汚物をトラップ管路に向けて押し込む作用を果たすため、少ない洗浄水量でも効率良く、溜水部に溜まった汚物を外部へ排出することができる。
【００１１】
また、請求項２に係るオストメイト用汚物流しにおいては、前記ボウル部の前記周壁面には、前記吐水口から吐水された洗浄水を載せて旋回させるために、周壁面から水平に突出した棚部が周回して形成されていることを特徴とする。
【００１２】
この請求項２に記載されたオストメイト用汚物流しにおいては、ボウル部の周壁面を旋回する洗浄水が棚部に載って旋回するため、吐水口から吐水された洗浄水が前方に至るまでに溜水部へ流下し過ぎることを防止でき、ボウル部の前方側から溜水部へ流下する洗浄水の量を増やすことができる。そのため、少ない洗浄水量でも効率良く、ボウル部の前方側に廃棄された汚物を洗い落とすことができ、且つ、溜水部に溜まった汚物を外部へ排出することができる。
【００１３】
また、請求項３に係わるオストメイト用汚物流しにおいては、前記棚部において、前記ボウル部の前方側の中央位置には、前記棚部を旋回する洗浄水の一部を前記溜水部へ向かうように誘導する流れ誘導部が形成されていることを特徴とする。
【００１４】
この請求項３に係るオストメイト用汚物流しによれば、棚部におけるボウル部の前方側の中央位置には、棚部を旋回する洗浄水の一部を溜水部へ向かうように誘導する流れ誘導部が形成されているので、ボウル部の前方側の棚部を流れる洗浄水を流れ誘導部によって溜水部へ流下させることができ、特に汚物が廃棄されることが多いボウル部の前方側中央部についた汚物をさらに効率よく洗い落とすことができる。
また、トラップ管路へ向けて汚物を押し込む作用を果たすボウル部の前方側から溜水部に流下する洗浄水を増やせるため、少ない洗浄水量でも効率良く溜水部に溜まった汚物を外部へ排出することができる。
【００１５】
また、請求項４に係わるオストメイト用汚物流しにおいては、前記吐水口は、その吐水方向が前記周壁面の曲面の接線に沿って形成されており、この吐水口が形成されている後方側の周壁面の曲率は、左右両側の周壁面および前方側の周壁面の曲率よりも小さいことを特徴とする。
【００１６】
この請求項４に係わるオストメイト用汚物流しにおいては、吐水口が周壁面の曲面の接線に沿って形成されているので洗浄水の乱れが少なく、また、吐水口が形成されている後方側の周壁面の曲率は、左右両側の周壁面および前方側の周壁面の曲率よりも小さいため、後方側の周壁面で洗浄水の流速が急激に落ちることがなく、左右両側の周壁面および前方側の周壁面で徐々に洗浄水の流速が落ちる。そのため、ボウル部の前方側から溜水部へ流れ落ちる洗浄水の量を増やすことができ、少ない洗浄水量でも効率良く、ボウル部の前方側に廃棄された汚物を洗い落とすことができ、且つ、溜水部に溜まった汚物を外部へ排出することができる。
【発明の効果】
【００１７】
本発明によれば、オストメイト用汚物流しを小型化しながら、少ない洗浄水量で効率良く、ボウル部の前方側に廃棄された汚物を洗い落とすことができ、且つ、溜水部に溜まった汚物を外部へ排出することができるオストメイト用汚物流しを提供することができる。
【図面の簡単な説明】
【００１８】
【図１】本発明の実施形態に係るオストメイト用汚物流しの斜視図である。
【図２】図１のＬ−Ｌ線における断面図である。
【図３】図１のＭ−Ｍ線における断面図である。
【図４】図２におけるＮ−Ｎ線における断面図である。
【図５】図４の矢印Ｐにおける矢視図である。
【図６】図４の矢印Ｑにおける矢視図である。
【発明を実施するための形態】
【００１９】
以下、本発明の実施形態について添付図面を参照しながら説明する。なお、各図面中、同様の構成要素には同一の符号を付して詳細な説明は適宜省略する。
【００２０】
図１は、本発明の実施形態に係るオストメイト用汚物流しの斜視図である。この図１に表すように、オストメイト用汚物流し１は、多目的トイレルームの壁面Ｋに壁掛け状に取り付けられて使用される。
なお、以降の説明においては、壁面Ｋに向かってオストメイト用汚物流し１の正面に立った使用者から見て、壁面Ｋに向かう側を「後方側」、壁面Ｋから離れる側を「前方側」と呼び、鉛直方向上側を「上方側」、鉛直方向下側を「下方側」と呼び、左右夫々の側を「左方側」、「右方側」と呼んで説明を行う。
【００２１】
オストメイト用汚物流し１は陶器製であり、汚物が投入可能となるように上方側が開口された椀状のボウル部３と、このボウル部３の下方側に形成され、下水配管との縁切りのための封水が溜まっている溜水部５とを備えている。ボウル部３の上端には略水平方向に延在するリム部７が形成されている。また、壁面Ｋには、水栓装置９が取り付けられている。この水栓装置９は配管（図示せず）によって供給された水または湯を吐水可能であり、オストメイトの人々が汚物を廃棄した後のパウチ等の洗浄を行うことができる。
【００２２】
また、ボウル部３の後方側面の右方側には、ボウル部３を洗浄するための洗浄水を吐水する吐水口１１が開口している。この吐水口１１へは、口径３５ｍｍの給水配管（図示せず）によって給水可能であり、壁面Ｋに設けられた操作ボタン１３を操作することで、給水配管に設けられたフラッシュバルブ（図示せず）が開弁して吐水口１１から吐水を行う。
【００２３】
次に、図２〜図４に基づいてボウル部３の具体的な形状について説明する。図２は図１のＬ−Ｌ線における断面図であり、図３は、図２のＭ−Ｍ線における断面図である。また、図４は、図２のＮ−Ｎ線における断面図である。  
図２に示すように、ボウル部３は、上方側が開口された椀状であり、略鉛直方向に伸び、周囲を囲むように形成された周壁面３１０と、この周壁面３１０の下端から略水平方向に延びた底面３２０とから構成されている。周壁面３１０の上端には、内側に向かって形成されたリム部７が形成されている。また、底面３２０の略中央位置には、溜水部５が窪むように形成されている。また、吐水口１１から吐水された洗浄水を載せて旋回させるために、ボウル部３の周壁面３１０を周回するように周壁面３１０から水平方向に突出した棚部３３０が形成されている。
【００２４】
図３に示すように、溜水部５の下部にはトラップ管路１５が形成されている。このトラップ管路１５の上流端側となる排水流入口１５１が溜水部５後方側下部と連通しており、そこから後方側の壁面Ｋに向かって上昇しながら延びている。そして、このトラップ管路１５の下流端側の排水流出口１５３が壁面Ｋに向かって開口しており、壁面Ｋの排水配管（図示せず）と接続されている。
また、棚部３３０において、ボウル部３の前方側の中央位置には、棚部３３０を旋回する洗浄水の一部を溜水部５へ向かうように誘導する流れ誘導部３４０が形成されている。
具体的には、流れ誘導部３４０は、棚面３３０ａの一部が切か欠かれた切り欠き３４０ａと、切り欠き３４０ａから溜水部５に向かって形成された誘導溝３４０ｂで構成される。
【００２５】
図４に示すように、ボウル部３の周壁面３１０はその上面視において、横長の略楕円形状に形成されている。そのため、壁面Ｋからの前出を抑えながら、汚物が投入される左右方向の開口面積を確保することができ、汚物の投入性を維持しながら壁面Ｋからの突出量を抑えることができる。
【００２６】
ボウル部３の周壁面３１０の具体的形状としては、上面視において、左右側方向に曲率Ｒ１で延びる後方側周壁面３１０Ｂと、この後方側周壁面３１０Ｂと対向するように前方側に形成され左右方向に曲率Ｒ２で形成された前方側周壁面３１０Ｆと、これら後方側周壁面３１０Ｂと前方側周壁面３１０Ｆとを繋ぐように前後方向に形成された左方側周壁面３１０Ｌと、左方側周壁面３１０Ｌと繋がっている前方側周壁面３１０Ｆの端部と逆の端部に繋がるように前後方向に形成された右方側周壁面３１０Ｒとを備えている。なお、後方側周壁面３１０Ｂの曲率Ｒ１は前方側周壁面３１０Ｆの曲率Ｒ２よりも小さい。また、左方側周壁面３１０Ｌおよび右方側周壁面３１０Ｒにおいて、後方側周壁面３１０Ｂと繋がる部分の曲率Ｒ３と、前方側周壁面３１０Ｆと繋がる部分の曲率Ｒ４とは、後方側周壁面３１０Ｂの曲率Ｒ１および前方側周壁面３１０Ｆの曲率Ｒ２よりも大きく形成されている（Ｒ１＜Ｒ２＜Ｒ３，Ｒ４）。
なお、これらの後方側周壁面３１０Ｂ、前方側周壁面３１０Ｆ、左方側周壁面３１０Ｌおよび右方側周壁面３１０Ｒは、図４に、二点鎖線で囲まれた領域として示されている。
【００２７】
また、ボウル部３には、後方側周壁面３１０Ｂであって、右方側周壁面３１０Ｒと繋がる位置に開口するように吐水口１１が形成されている。そして、この吐水口１１から吐水された洗浄水を載せて旋回させるために、ボウル部３の周壁面３１０を周回するように棚状に突出した棚部３３０が形成されている。棚部３３０は、上方面が略水平状の棚面３３０ａとなっており、吐水口１１ら吐水された洗浄水が棚面３３０ａに載って旋回するようになっている。なお、棚面３３０ａに載って旋回する洗浄水は、重力によって一部が溜水部５に向かって流下しながら旋回し、ボウル部３の周壁面３１０および底面３２０の全体を洗浄する。
【００２８】
また、吐水口１１が、ボウル部３の後方側周壁面３１０Ｂであって、右方側周壁面３１０Ｒに近接して形成されており、吐水口１１から周壁面３１０に吐水された洗浄水は、後方側周壁面３１０Ｂを右方側から左方側へと流れるため、この後方側周壁面３１０Ｂを流れる間に吐水口１１から吐水された直後に持つ洗浄水の流速が低下し、その後、ボウル部３の側方の周壁面３１０を旋回して前方側に至った時点では更に流速が低下しており、洗浄水にかかる遠心力が弱くなっているので、ボウル部３の前方側から溜水部５へ流下する洗浄水の量を増やすことができる。そのため、ボウル部３の前方側に廃棄された汚物を少ない洗浄水量で効率良く洗い落とすことができる。また、ボウル部３の前方側から溜水部５に流下する洗浄水が、溜水部５に溜まった汚物をトラップ管路１５に向けて押し込む作用を果たすため、少ない洗浄水量で効率良く、トラップ管路１５から外部へ汚物を排出することができる。
【００２９】
また、前方側周壁面３１０Ｆに形成されている棚部３３０の左右方向の中央位置において、流れ誘導部３４０が形成されている。上面視において、流れ誘導部３４０の切り欠き３４０ａは、Ｖ字状に切り欠かれており、流れ誘導部３４０の誘導溝３４０ｂは、切り欠き３４０ａから溜水部５に向かって拡幅する形状となっている。
【００３０】
この流れ誘導部３４０によれば、棚部３３０を旋回している洗浄水を切り欠き３４０ａによって誘導溝３４０ｂへ向かって流下するように誘導することができると共に、切り欠き３４０ａに至る以前に棚面３３０ａから流下して周壁面３１０を旋回している洗浄水の一部も誘導溝３４０ｂに流れ込む。そのため、この流れ誘導部３４０によってボウル部３の前方側周壁面３１０Ｆから溜水部５に流下する洗浄水の量を多くすることができるので、特に汚物が廃棄されることが多いボウル部３の前方側中央部についた汚物をさらに効率よく洗い落とすことができる。また、トラップ管路１５へ向けて汚物を押し込む作用を果たすボウル部３の前方側から溜水部５に流下する洗浄水を増やせるため、少ない洗浄水量でも効率良く溜水部５に溜まった汚物を外部へ排出することができる。
【００３１】
次に、ボウル部３における吐水口１１近傍の形状について図４〜図６に基づいて説明する。図５は、図４の矢印Ｐにおける矢視図であり、図６は図４の矢印Ｑにおける矢視図である。
図４に示すように、吐水口１１へ洗浄水を導くために、ボウル部３の後方側に向かって開口している給水接続口１１１と、この給水接続口１１１と吐水口１１とを連通している導水路１１３とがボウル部３と一体に形成されている。給水接続口１１１にはフラッシュバルブ（図示せず）等の給水手段から伸びる給水配管（図示せず）が接続され、図１に示す操作ボタン１３を操作することで給水手段を作動することで、吐水口から一定量の洗浄水を吐水することが可能となっている。
【００３２】
図４において導水路１１３は、上面視において略Ｌ字状に屈曲しており、その屈曲部には絞り部１１３ａが形成されている。具体的には、導水路１１３は、給水接続口１１１から前方に延び、絞り部１１３ａを通過した後で左方側へ向かって屈曲して吐水口１１へと連通している。
【００３３】
図５、図６に示すように、絞り部１１３ａ及び吐水口１１は縦長の略矩形状に開口している。絞り部１１３ａと吐水口１１とは、縦方向（高さ方向）の長さは略同一であるが、横方向（幅方向）においては、吐水口１１の方が絞り部１１３ａよりも長く開口している。
【００３４】
なお、導水路１１３における洗浄水の流れ方向に直交する断面積である流路断面積は、給水接続口１１１＞吐水口１１＞絞り部１１３ａとなっている。また、絞り部１１３ａよりも下流側の導水路１１３の流路断面積は、絞り部１１３ａの直後が広く、そこから徐々に狭くなって吐水口１１へと繋がるように形成されている。
【００３５】
そのため、給水接続口１１１から導水路１１３へ流入してきた洗浄水は、絞り部１１３ａへ向かう流路では圧力上昇し、絞り部１１３ａを通過後の導水路１１３では圧力低下を生じる。そのため、給水接続口１１１へ供給される洗浄水の給水圧力が変動したとしても、絞り部１１３ａを通過後の導水路１１３における洗浄水の圧力変動は抑制することができる。また、絞り部１１３ａから吐水口１１へ繋がる導水路１１３は徐々に流路断面積が狭くなっていることにより、吐水口１１から吐水させる洗浄水を整流して吐水することができる。従って、給水接続口１１１へ供給される洗浄水の給水圧力が変動したとしても、吐水口１１から吐水される洗浄水の流量及び流速を略一定とすることができ、しかも、吐水状態が安定する。そのため、ボウル部３の排出性能を安定させることができる。
そして、吐水口１１が後方側周壁面３１０Ｂの曲面の接線に沿って形成されているので、吐水口１１から吐水される洗浄水が後方側周壁面３１０Ｂと衝突せず、スムーズに棚部３３０に載って旋回を開始することができ、後方側の周壁面で洗浄水の流速が急激に落ちることがなく、左方側周壁面３１０Ｌから前方側周壁面３１０Ｆにかけて徐々に洗浄水の流速が落ちる。そのため、ボウル部３の前方側から溜水部５へ流れ落ちる洗浄水の量を増やすことができ、少ない洗浄水量で効率良く、ボウル部３の前方側に廃棄された汚物を洗い落とすことができ、且つ、溜水部５に溜まった汚物を外部へ排出することができる。
【００３６】
以上、本発明の実施形態について説明した。しかし、本発明はこれらの記述に限定されるものではなく、例えば、オストメイト流しは、壁掛けでなく、床置きされているものであってもよい。
【符号の説明】
【００３７】
１        オストメイト用汚物流し
３        ボウル部
３１０    周壁面
３１０Ｂ  後方側周壁面
３１０Ｆ  前方側周壁面
３１０Ｒ  右方側周壁面
３１０Ｌ  左方側周壁面
３２０    底面
３３０    棚部
３３０ａ  棚面
３４０    流れ誘導部
３４０ａ  切り欠き
３４０ｂ  誘導溝
５        溜水部
７        リム部
９        水栓装置
１１        吐水口
１１１      給水接続口
１１３    導水路
１１３ａ    絞り部
１３    操作ボタン
１５    トラップ管路
１５１    排水流入口
１５３    排水流出口
Ｋ    壁面
【図１】
2018050750.tif 000003
【図２】
2018050750.tif 000004
【図３】
2018050750.tif 000005
【図４】
2018050750.tif 000006
【図５】
2018050750.tif 000007
【図６】
2018050750.tif 000008